(57)【要約】 【課題】多種多様な成分を含有する温泉を人工的に調製して、所望の温泉成分を備えた人工温泉湯を容易に得ることができ、且つ一定の品質を保持できるようにする。【解決手段】浴槽１１と、加熱給湯部３と、温泉主成分を含有する薬液を供給する主成分供給部４と、微少温泉成分を含有する薬液を供給する単一又は複数の副成分供給部５，６と、浴湯を循環濾過加熱する循環加熱部と、給湯と循環湯と薬液を混合して浴槽に供給する混合流路部とを備え、所望の温泉が含有する成分に対応するよう薬液混合給湯を行うように各部の動作を制御し、更に浴槽で蒸発して不足する温泉成分を循環湯に混合させて人工温泉湯の品質を一定に保つ。【選択図】図１
2010088626.tif 000002
【特許請求の範囲】
【請求項１】
適宜容量の浴槽と、加熱機構を備えた加熱給湯部と、温泉主成分を含有する薬液を供給する主成分供給部と、微少温泉成分を含有する薬液を供給する単一又は複数の副成分供給部と、浴槽内浴湯を循環濾過させて加熱する循環加熱部と、前記加熱給湯部と主成分供給部と副成分供給部と循環加熱部からの湯及び薬液を混合して浴槽に人工温泉湯を供給する混合流路部と、前記加熱給湯部と主成分供給部と副成分供給部における給湯及び薬液供給量が、所望の温泉が含有する成分に対応するように各部の動作制御を行うと共に、浴槽で蒸発して不足する温泉成分を浴槽内浴湯の循環湯に所定量の薬液量を供給する動作制御を行う制御部を備えてなることを特徴とする人工温泉装置。
【請求項２】
浴槽に温度センサを付設し、混合流路部で湯と各温泉成分が所定の混合比率で混合される際の人工温泉湯温度が、浴槽内の浴湯温度に対応して定められるように加熱供給部並びに循環加熱部における給湯温度を制御してなる請求項１記載の人工温泉装置。
【発明の詳細な説明】
【技術分野】
【０００１】
本発明は、主として業務用入浴施設機に対応する人工温泉装置に関するものである。
【背景技術】
【０００２】
人工温泉装置としては、種々の形式のものが知られているが、本発明は特に温泉効用を備えた薬液を添加した浴湯を使用する方式のものに関する。
【０００３】
薬液を混入するタイプとして、特公平３−４２２２号公報（特許文献１）には、温泉原液を希釈して浴槽に供給するに際して、希釈液濃度が一定となるように希釈液ポンプの吐出量を制御する手段が開示されている。
【０００４】
また特開平６−２３３８０１号公報（特許文献２）には、入浴剤の種類に応じた濃度／導電率の相関データを制御部メモリに予め記憶しておき、浴湯における当該入浴剤の濃度を検知（導電率検知）し、入浴剤を自動的に添加する手段が開示されている。
【０００５】
また特開平１０−２２５３９０号公報（特許文献３）には、循環加熱路の途中に、香りセンサ及び色センサに基づいて、着色剤や香料を補充する手段を備えた装置が開示されている。
【０００６】
更に特開２００６−６１３３２号公報（特許文献４）には、薬液タンクを備え、循環加熱路の途中に、濃度センサの検知結果で動作制御される薬液供給手段を備えた装置が開示されている。
【０００７】
【特許文献１】特公平３−４２２２号公報。
【特許文献２】特開平６−２３３８０１号公報。
【特許文献３】特開平１０−２２５３９０号公報。
【特許文献４】特開２００６−６１３３２号公報。
【発明の開示】
【発明が解決しようとする課題】
【０００８】
温泉には、周知のとおり単純泉（温泉水１ｋｇ中含有成分が１０００ｍｇに満たないもの）から、特定の成分を多く含有する炭酸水素塩泉、塩化物泉、硫酸塩泉、硫黄泉等の１０種類が知られている。
【０００９】
人工温泉においては、特許文献１，２，３に示されているように、これらの温泉成分と近似するような温泉成分を備えた入浴剤・薬液を使用して人工温泉湯を調整しており、また特許文献３記載のように香り成分と着色剤を使用して擬似温泉湯を調整しているものである。
【００１０】
しかし温泉成分は、同種の泉質であっても温泉地によって微妙に相違するものであり、各温泉地と同様な人工温泉湯を得るには、多種多様に入浴剤や薬剤を準備する必要があり、而も特別に調整した場合には、当該人工温泉にのみしか使用することができない。また温泉成分には、例えば硫黄ガスや炭酸ガスのように蒸発する成分（主として香り成分）が含まれており、浴槽湯の循環加熱を採用すると、時間の経過によって蒸発成分が薄くなり当初の温泉成分を含有した温泉湯と異なってしまう。
【００１１】
そこで本発明は、多種多様な温泉湯に対応できると共に、温泉湯の温泉成分を一定に保つことができる新規な人工温泉装置を提案したものである。
【課題を解決するための手段】
【００１２】
本発明に係る人工温泉装置は、適宜容量の浴槽と、加熱機構を備えた加熱給湯部と、温泉主成分を含有する薬液を供給する主成分供給部と、微少温泉成分を含有する薬液を供給する単一又は複数の副成分供給部と、浴槽内浴湯を循環濾過させて加熱する循環加熱部と、前記加熱給湯部と主成分供給部と副成分供給部と循環加熱部からの湯及び薬液を混合して浴槽に人工温泉湯を供給する混合流路部と、前記加熱給湯部と主成分供給部と副成分供給部における給湯及び薬液供給量が、所望の温泉が含有する成分に対応するように各部の動作制御を行うと共に、浴槽で蒸発して不足する温泉成分を浴槽内浴湯の循環湯に所定量の薬液量を供給する動作制御を行う制御部を備えてなることを特徴とするものである。
【００１３】
従って例えば所望の温泉地の温泉湯と同種の温泉に対応する温泉主成分と、当該温泉地の温泉湯と同一または酷似するように選択調整した微少温泉成分を一定の割合で給湯と混合することで、所望の温泉湯を調製することができ、当該温泉湯を浴槽に供給すると、所望の温泉と酷似の人工温泉を得ることができる。更に温泉成分のうち蒸発しやすい成分は、蒸発量に対応する当該成分のみを循環湯に混合することで、浴槽内浴湯を常に所望の温泉成分を含有する人工温泉湯とすることができる。
【００１４】
また本発明（請求項２）は、更に浴槽に温度センサを付設し、浴槽に温度センサを付設し、混合流路部で湯と各温泉成分が所定の混合比率で混合される際の人工温泉湯温度が、浴槽内の浴湯温度に対応して定められるように加熱供給部並びに循環加熱部における給湯温度を制御してなるもので、混合流路部で給湯と各温泉成分が所定の混合比率で混合する際、及び浴湯を循環させて特定温泉成分を蒸発率に対応して混合する際に、浴槽内の浴湯温度が低い場合には、浴湯の温度を高めるように温度の高い給湯や循環湯を加熱して浴槽内浴湯温度を維持するものである。
【発明の効果】
【００１５】
本発明は上記の構成であるから、炭酸水素塩泉、塩化物泉、硫酸塩泉、硫黄泉のような温泉の種類に応じた温泉主成分と、所望の温泉地を特徴づける微少温泉成分と組み合わせることで、所望の温泉地の温泉湯と酷似の人工温泉湯を得ることができることは勿論のこと、主成分と微少成分の選択組み合わせで、前記の特定の温泉地の温泉湯に限らず、所望の成分を含有する多種多様な人工温泉湯を容易に供給することができる。而も蒸発する特定の温泉成分は、浴湯循環に際して追加的に混合することで、常に一定の温泉成分を含有する人工温泉を提供できたものである。
【発明を実施するための最良の形態】
【００１６】
次に本発明の実施形態について説明する。実施形態に示した人工温泉装置は、浴槽部１と、混合流路部２と、加熱給湯部３と、主成分供給部４と、第一副成分供給部５と、第二副成分供給部６と、循環加熱部７と、各部の動作制御を指示する制御部とで構成される。
【００１７】
浴槽部１は、所定の大きさの浴槽１１を備え、浴槽１１内には水位センサ１２と湯温センサ１３とを備えてなり、水位センサ１２は、浴槽１１における浴湯Ａの最低水位以下であることを検知するもので良く、また湯温センサ１３は、最低設定温度以下の検知と、最高設定温度以上の検知をなすもので良い。
【００１８】
混合流路部２は、加熱給湯部３からの給湯を受け入れると共に、主成分供給部４及び各副成分供給部５，６からの温泉成分含有薬液Ｂ，Ｃ，Ｄの供給を受けて、これらを流しながら混合して温泉湯Ａ１とし、浴槽１１内に供給するものである。
【００１９】
加熱給湯部３は、ボイラー３１と、ボイラーに給水する給水部（給水開閉弁３２）と、混合流路部２に所定の温度の湯Ａ２を供給すると共に、後述する循環加熱部７の熱交換部７６に熱源として供給するための給湯ポンプ３３とを備え、更に前記給湯ポンプ３３と混合流路部２との間に、給湯開閉弁３４及び給湯量を確認するための流量計３５を介装してなるものである。また前記の循環加熱部７の熱交換部７６への給湯路には開閉弁３６を介装する。
【００２０】
主成分供給部４と、第一副成分供給部５と、第二副成分供給部６とは、各々薬液供給部４１（５１，６１）と給水開閉弁４２（５２，６２）を付属した薬液タンク４３，５３，６３を備え、薬液タンク４３，５３，６３内には攪拌機構を備えると共に、吐出ポンプ４４，５４，６４を備え、薬液タンク４３，５３，６３内の薬液Ｂ，Ｃ，Ｄを混合流路部２に供給するようにしている。尚温泉成分によっては、更に多くの副成分供給部を増設するようにしても良い。
【００２１】
前記の薬液Ｂは、例えば温泉地の温泉湯と同種温泉となるための温泉主成分を溶解した水溶液であり、薬液Ｃ，Ｄは前記の温泉地の温泉湯が備える特徴に対応した微小温泉成分を溶解した水溶液であり、薬液タンク４３，５３，６３内の薬液Ｂ，Ｃ，Ｄは、各々薬液供給部４１（５１，６１）と給水部４２（５２，６２）から給水を受け、所定の濃度の水溶液としておくものである。
【００２２】
循環部加熱部７は、浴槽１１の底部からの引抜管７１と、ストレーナー７２と、循環ポンプ７３と、逆洗機構７４を付設した濾過器７５と、循環浴湯Ａ３を加熱する熱交換部７６とを順次備え、熱交換部７６からの循環浴湯Ａ３を混合流路部２に供給することで循環路を構成したものである。尚前記の逆洗機構７４は、温泉湯がにごり湯の場合などがあり、温泉湯を使用できない場合を考慮して清水による逆洗を行うようにしたものである。
【００２３】
前記の各部の動作は、制御部で一定に制御されるものである。即ち制御部７では、入力データ（設定部入力値）として、調製すべき温泉湯に対応する温泉主成分量、微小温泉成分量が、混合流路部２に供給される湯Ａ２の給湯量（流量計４５で確認できる）に対して一定の比率で供給されるように、給湯ポンプ３３と吐出ポンプ４４，５４，６４の作動時間及び給湯開閉弁３４と供給開閉弁４５，５５，６５の弁解放時間を設定し、更に湯温センサ１３及び水位センサ１２の検知値を入力データとして取り込むものである。
【００２４】
然して一定時間間隔で、或いは水位センサ１２による水位検知で、ボイラーで加熱される湯Ａ２を混合流路部２に供給すると同時に、主成分供給部４、第一副成分供給部５及び第二副成分供給部６を作動させて、混合流路部２に所定量の湯Ａ２及び薬液Ｂ，Ｃ，Ｄを供給し、所定の温泉成分を含有する人工温泉湯Ａ１として浴槽１１に供給する。特に前記の供給に際して、浴槽１１内の浴湯Ａの温度が低い場合には、湯Ａ２の温度を高めれば良いものである。
【００２５】
更に前記のとおり浴槽１１には所定の温泉成分を含有する人工温泉湯Ａ１が定時的に、また水位が低下した際に供給され、適宜浴槽からオーバーフローされる他、浴槽１１の浴湯Ａにおいて、温泉成分の一部は蒸発等によって減少し、温泉成分の含有比率が異なってくる。また浴槽内の浴湯Ａは放置しておくと自然に温度が低下する。
【００２６】
そこで、浴湯Ａの温度低下の防止と、減少温泉成分の補充を浴湯Ａの循環加熱で実現するものである。即ち循環ポンプ７３を、前記の人工温泉湯Ａ１の供給間隔の間に数回作動させ、浴槽１１内の浴湯Ａを一定の量引抜き、ストレーナー７２で大きなゴミを濾過し、更に濾過器７５で微細ゴミを除去して熱交換部７６に送り、所定温度に加熱され循環浴湯Ａ３として混合流路部２に供給する。混合流路部２においては、必要とされる温泉成分（浴槽１１で蒸発した温泉成分）を必要量だけ主成分供給部４、第一副成分供給部５、第二副成分供給部６の何れかから供給し、補充温泉湯Ａ４として、浴槽１１に戻されるものである。勿論常時循環加熱部７を動作させて、主成分供給部４、第一副成分供給部５、第二副成分供給部６の何れか必要とする薬液のみを間欠的に供給するようにしても良い。
【００２７】
特に前記の循環動作に際しては、循環浴湯Ａ３の加熱のために、加熱給湯部３の給湯ポンプ３３を作動させると共に、開閉弁３６を開放する。また循環動作を実施していないときに、適宜逆洗機構７４を動作させて、濾過器７５のフィルターの洗浄を行っておく、
【００２８】
従って人工温泉湯の温泉成分を容易に所望のものとすることができるので、多種多様な人工温泉湯を容易に供給できるので、特定の温泉地の温泉湯と酷似の人工温泉湯を得ることができるし、温泉成分の蒸発による温泉湯の含有成分比率の変動に対しても、循環時に所定の薬液の選択的補充が可能となり、常に一定の品質の人工温泉を提供できたもので、当該特定の温泉地における温泉の枯渇対策としても、本装置を補助的に使用できる利点も有するものである。
【図面の簡単な説明】
【００２９】
【図１】本発明の実施形態の全体の説明図。
【図２】同主成分供給部の説明図。
【図３】同制御部のブロック図。
【符号の説明】
【００３０】
１        浴槽部
１１      浴槽
１２      水位センサ
１３      湯温センサ
２        混合流路部
３        加熱給湯部
３１      ボイラー
３２      給水開閉弁
３３      給湯ポンプ
３４      給湯開閉弁
３５      流量計
３６      開閉弁
４        主成分供給部
５        第一副成分供給部
６        第二副成分供給部
４１，５１，６１  薬液供給部
４２，５２，６２  給水部
４３，５３，６３  薬液タンク
４４，５４，６４  吐出ポンプ
７        循環加熱部
７１      引抜管
７２      ストレーナー
７３      循環ポンプ
７４      逆洗機構
７５      濾過器
７６      熱交換部
【図１】
2010088626.tif 000003
【図２】
2010088626.tif 000004
【図３】
2010088626.tif 000005
【手続補正書】
【提出日】平成21年5月21日(2009.5.21)
【手続補正１】
【補正対象書類名】特許請求の範囲
【補正対象項目名】請求項１
【補正方法】変更
【補正の内容】
【請求項１】
適宜容量の浴槽と、加熱機構を備え浴湯を供給する加熱給湯部と、各々薬液の原液供給部と給水開閉弁を付属した薬液タンクを備えると共に、薬液タンク内に攪拌機構を備え、薬液タンク内の薬液を所定量供給するもので、特に温泉主成分を含有する薬液を供給する主成分供給部、及び微少温泉成分を含有する薬液を供給する単一又は複数の副成分供給部と、浴槽内浴湯を循環濾過させて加熱する循環加熱部と、前記加熱給湯部と主成分供給部と副成分供給部と循環加熱部からの湯及び薬液を流しながら混合して浴槽に人工温泉湯を供給する混合流路部と、前記加熱給湯部と主成分供給部と副成分供給部における給湯及び薬液供給量が、所望の温泉が含有する成分に対応するように各部の動作制御を行うと共に、浴槽で蒸発して不足する温泉成分を浴槽内浴湯の循環湯に所定量の薬液量を供給する動作制御を行う制御部で構成してなることを特徴とする人工温泉装置。
【手続補正書】
【提出日】平成21年8月20日(2009.8.20)
【手続補正１】
【補正対象書類名】特許請求の範囲
【補正対象項目名】請求項１
【補正方法】変更
【補正の内容】
【請求項１】
適宜容量の浴槽と、加熱機構を備え浴湯を供給する加熱給湯部と、浴槽内浴湯を循環濾過させて加熱する循環加熱部と、加熱給湯部及び循環加熱部と接続して人工温泉湯を浴槽に供給する混合流路部と、各々が薬液供給部と給水開閉弁を付属した薬液タンクを備えると共に、薬液タンク内に攪拌機構を備え、所定の濃度とした薬液タンク内の薬液を所定量供給するものであって、前記混合流路部を流れる加熱給湯部と循環加熱部からの湯に、所望の温泉湯の種類に対応する温泉主成分の温泉成分含有薬液の供給を行う主成分供給部、及び所望の温泉地の温泉湯を特徴づける微少温泉成分含有薬液の供給を行う単一又は複数の副成分供給部であって、そのうち少なくとも一つは蒸発しやすい成分を含む副成分供給部と、前記加熱給湯部の給湯量及び主成分供給部及び副成分供給部の薬液供給量が、所望の温泉湯が含有する成分に対応するように給湯作動及び薬液供給作動の動作制御を行うと共に、循環加熱部の循環加熱作動時に、浴槽で蒸発して不足する温泉成分を循環湯に所定量の薬液量を供給するように所定の副成分供給部の薬液供給作動の動作制御を行う制御部とで構成してなることを特徴とする人工温泉装置。
【手続補正２】
【補正対象書類名】明細書
【補正対象項目名】００２１
【補正方法】変更
【補正の内容】
【００２１】
前記の薬液Ｂは、例えば温泉地の温泉湯と同種温泉となるための温泉主成分を溶解した水溶液であり、薬液Ｃ，Ｄは前記の温泉地の温泉湯が備える特徴に対応した微少温泉成分を溶解した水溶液であり、薬液タンク４３，５３，６３内の薬液Ｂ，Ｃ，Ｄは、各々薬液供給部４１（５１，６１）と給水部４２（５２，６２）から給水を受け、所定の濃度の水溶液としておくものである。
【手続補正３】
【補正対象書類名】明細書
【補正対象項目名】００２３
【補正方法】変更
【補正の内容】
【００２３】
前記の各部の動作は、制御部で一定に制御されるものである。即ち制御部７では、入力データ（設定部入力値）として、調製すべき温泉湯に対応する温泉主成分量、微少温泉成分量が、混合流路部２に供給される湯Ａ２の給湯量（流量計４５で確認できる）に対して一定の比率で供給されるように、給湯ポンプ３３と吐出ポンプ４４，５４，６４の作動時間及び給湯開閉弁３４と供給開閉弁（図示なし）の弁解放時間を設定し、更に湯温センサ１３及び水位センサ１２の検知値を入力データとして取り込むものである。
【手続補正４】
【補正対象書類名】明細書
【補正対象項目名】００２６
【補正方法】変更
【補正の内容】
【００２６】
そこで、浴湯Ａの温度低下の防止と、減少温泉成分の補充を浴湯Ａの循環加熱で実現するものである。即ち循環ポンプ７３を、前記の人工温泉湯Ａ１の供給間隔の間に数回作動させ、浴槽１１内の浴湯Ａを一定の量引抜き、ストレーナー７２で大きなゴミを濾過し、更に濾過器７５で微細ゴミを除去して熱交換部７６に送り、所定温度に加熱され循環浴湯Ａ３として混合流路部２に供給する。混合流路部２においては、必要とされる温泉成分（浴槽１１で蒸発した温泉成分）を必要量だけ第一副成分供給部５、第二副成分供給部６の何れかから供給し、補充温泉湯Ａ４として、浴槽１１に戻されるものである。勿論常時循環加熱部７を動作させて、主成分供給部４、第一副成分供給部５、第二副成分供給部６の何れか必要とする薬液のみを間欠的に供給するようにしても良い。